(57)【要約】【課題】  窒素酸化物を含む排気ガスを、浄化用物質（還元剤）の供給を外部から受けずに浄化する排気ガス浄化装置を提供する。【解決手段】タンク１０内の水が酸化触媒反応により水素水となり、同水素水に対して超音波振動子１１により超音波振動を与えることにより霧ｆを発生させ、窒素酸化物浄化部２１で霧ｆから水素を生成し、同水素と排気ガスｇａの窒素酸化物とを反応させて還元剤（アンモニア）を生成し、かつ、残りの排気ガスｇａに含まれる窒素酸化物に対して同還元剤を用いて繰り返し還元反応させることにより同窒素酸化物を浄化するので、還元剤の供給を外部から受けることなく、比較的簡単な構成で同窒素酸化物を含む排気ガスｇａが浄化され、環境が改善される。また、タンク１０内の水に消臭剤が添加されていれば、霧ｆに消臭剤が含まれているので、排気ガスｇａの臭いが低減され、環境が改善される。【選択図】図１
2007075800.tif 000002
【特許請求の範囲】
【請求項１】
窒素酸化物を含む排気ガスを発生する装置に設けられ、前記窒素酸化物を還元作用によって浄化する排気ガス浄化装置であって、
水を分解して水素水を生成すると共に該水素水を霧化し、霧化された前記水素水と前記排気ガスに含まれる第１の窒素酸化物とを反応させて還元剤を生成し、かつ該還元剤を残りの前記排気ガスに含まれる第２の窒素酸化物と反応させることにより、前記還元作用を繰り返し行う還元手段が設けられていることを特徴とする排気ガス浄化装置。
【請求項２】
前記還元手段は、
水を酸化触媒と反応させて前記水素水を生成する触媒装置と、
該水素水を霧化する霧化手段と、
該霧化手段により霧化された前記水素水と前記排気ガスに含まれる第１の窒素酸化物とを反応させて前記還元剤を生成し、かつ、該還元剤を残りの前記排気ガスに含まれる第２の窒素酸化物と反応させて該第２の窒素酸化物を浄化する窒素酸化物浄化手段とを備えてなることを特徴とする請求項１記載の排気ガス浄化装置。
【請求項３】
前記触媒装置は、
所定量の水及び前記酸化触媒が収容され、前記水素水を生成するための収容器を有し、
前記霧化手段は、
前記収容器中の前記水素水に対して超音波による振動を与えることにより該水素水を霧化する超音波発生手段を有することを特徴とする請求項２記載の排気ガス浄化装置。
【請求項４】
前記霧化手段は、
前記超音波発生手段が前記収容器の底部に設けられ、かつ、
前記収容器内の水面と前記超音波発生手段との間を所定の距離に保つように水位を制御する水位制御手段が設けられていることを特徴とする請求項３記載の排気ガス浄化装置。
【請求項５】
前記触媒装置の前記収容器は、
当該収容器内の水に任意の添加用物質を付加可能な構成とされていることを特徴とする請求項３記載の排気ガス浄化装置。
【請求項６】
前記還元剤は、アンモニアからなり、
前記還元手段は、
霧化された前記水素水と前記排気ガスに含まれる第１の窒素酸化物とを反応させてアンモニアを繰り返し生成し、かつ、該アンモニアを残りの前記排気ガスに含まれる第２の窒素酸化物と反応させて該第２の窒素酸化物を浄化する構成とされていることを特徴とする請求項１記載の排気ガス浄化装置。
【請求項７】
窒素酸化物を含む排気ガスを発生する装置に設けられて該窒素酸化物を還元作用によって浄化する排気ガス浄化装置に用いられ、
水を分解して水素水を生成すると共に該水素水を霧化し、霧化された前記水素水と前記排気ガスに含まれる第１の窒素酸化物とを反応させて還元剤を生成し、かつ該還元剤を残りの前記排気ガスに含まれる第２の窒素酸化物と反応させることにより前記還元作用を繰り返し行うことを特徴とする排気ガス浄化方法。
【発明の詳細な説明】
【技術分野】
【０００１】
この発明は、排気ガス浄化装置及び該排気ガス浄化装置に用いられる排気ガス浄化方法に係り、たとえば、軽油や重油を燃料とする原動機やボイラなどから排出される窒素酸化物を含む排気ガスを浄化する場合に用いて好適な排気ガス浄化装置及び該排気ガス浄化装置に用いられる排気ガス浄化方法に関する。
【背景技術】
【０００２】
近年、大気汚染の原因となる自動車や船舶などの原動機やボイラなどからの排気ガスに対して規制が行われ、特に、ディーゼルエンジンに対しては、排気ガスに含まれるＰＭ（Particulate Matter、粒子状物質）の低減及びＮＯｘ（ノックス、窒素酸化物）の低減が要求されている。このＮＯｘは、酸性雨や森林枯死などの主因になっているため、低減が急務となっている。特に、自動車については、自動車ＮＯｘ・ＰＭ法が施行され、ＰＭ排出基準及びＮＯｘ排出基準が定められている。これにより、特定地域では、ＰＭ及びＮＯｘの排出量が基準値を超える自動車の使用が禁止されている。現状では、ＰＭは、燃焼効率の向上などにより低減される傾向にあるが、ＮＯｘについては、ＰＭを低減すると増加するというトレードオフの関係にあるため、低減が困難な状態にある。このため、排出されたＮＯｘを浄化するための排気ガス浄化装置が提案されている。
【０００３】
この種の排気ガス浄化装置は、従来では、たとえば、次のような文献に記載されたものがある。
非特許文献１に記載された排ガス脱硝システムでは、図４に示すように、排気ガス中に外部から尿素水［（ＮＨ2）2ＣＯ＋Ｈ2Ｏ］が噴霧され、アンモニアガス（ＮＨ3）と窒素酸化物（ＮＯｘ）とが混合された状態となる。この後、排気ガス中の窒素酸化物は、触媒を通過する間に、還元反応により、無害な窒素ガス（Ｎ2）及び水（Ｈ2Ｏ）に分解され、クリーンガスとして排出される。
【０００４】
上記の排気ガス浄化装置の他、たとえば、船舶用の排気ガス浄化装置では、海水（ＮａＣｌ）を原料として、石灰（ＣａＣｌ）などとの反応によりアンモニア（ＮＨ3）が生成され、同アンモニアとＮＯｘ（たとえば、一酸化窒素ＮＯ、二酸化窒素ＮＯ2、一酸化二窒素Ｎ2Ｏ、三酸化二窒素Ｎ2Ｏ3、四酸化二窒素Ｎ2Ｏ4など）とを還元反応させることにより、同ＮＯｘが低減される。
【０００５】
また、ディーゼルエンジンが使用されているバスやトラックなどの車両用の装置では、外部からアンモニアなどの還元剤の供給を受け、還元反応により窒素酸化物の低減が行われる。
【非特許文献１】新興プランテック、ホームページ「排ガス脱硝システム」
【発明の開示】
【発明が解決しようとする課題】
【０００６】
しかしながら、上記従来の排気ガス浄化装置では、次のような問題点があった。
すなわち、図４に示す排ガス脱硝システムでは、排気ガス中に外部から尿素水を噴霧する必要があるが、危険物である尿素水を一般ユーザに供給することは困難であり、広く一般に普及させることは容易ではない。また、船舶用の装置では、海水を原料としてアンモニアを生成する機構が複雑かつ高価であり、広く普及することは困難である。また、車両用の装置では、還元剤（アンモニア）が危険物であるため、供給インフラ（infrastructure）が整備される見込みが薄く、実用化が困難であるという問題点がある。
【０００７】
この発明は、上述の事情に鑑みてなされたもので、窒素酸化物を含む排気ガスを、還元剤の供給を外部から受けずに比較的簡単な構成で浄化すると共に、同排気ガスの臭いを消臭剤などにより除去して快適な環境を創る排気ガス浄化装置を提供することを目的としている。
【課題を解決するための手段】
【０００８】
上記課題を解決するために、請求項１記載の発明は、窒素酸化物を含む排気ガスを発生する装置に設けられ、前記窒素酸化物を還元作用によって浄化する排気ガス浄化装置に係り、水を分解して水素水を生成すると共に該水素水を霧化し、霧化された前記水素水と前記排気ガスに含まれる第１の窒素酸化物とを反応させて還元剤を生成し、かつ該還元剤を残りの前記排気ガスに含まれる第２の窒素酸化物と反応させることにより、前記還元作用を繰り返し行う還元手段が設けられていることを特徴としている。
【０００９】
請求項２記載の発明は、請求項１記載の排気ガス浄化装置に係り、前記還元手段は、水を酸化触媒と反応させて前記水素水を生成する触媒装置と、該水素水を霧化する霧化手段と、該霧化手段により霧化された前記水素水と前記排気ガスに含まれる第１の窒素酸化物とを反応させて前記還元剤を生成し、かつ、該還元剤を残りの前記排気ガスに含まれる第２の窒素酸化物と反応させて該第２の窒素酸化物を浄化する窒素酸化物浄化手段とを備えてなることを特徴としている。
【００１０】
請求項３記載の発明は、請求項２記載の排気ガス浄化装置に係り、前記触媒装置は、所定量の水及び前記酸化触媒が収容され、前記水素水を生成するための収容器を有し、前記霧化手段は、前記収容器中の前記水素水に対して超音波による振動を与えることにより該水素水を霧化する超音波発生手段を有することを特徴としている。
【００１１】
請求項４記載の発明は、請求項３記載の排気ガス浄化装置に係り、前記霧化手段は、前記超音波発生手段が前記収容器の底部に設けられ、かつ、前記収容器内の水面と前記超音波発生手段との間を所定の距離に保つように水位を制御する水位制御手段が設けられていることを特徴としている。
【００１２】
請求項５記載の発明は、請求項３記載の排気ガス浄化装置に係り、前記触媒装置の前記収容器は、当該収容器内の水に任意の添加用物質を付加可能な構成とされていることを特徴としている。
【００１３】
請求項６記載の発明は、請求項１記載の排気ガス浄化装置に係り、前記還元剤は、アンモニアからなり、前記還元手段は、霧化された前記水素水と前記排気ガスに含まれる第１の窒素酸化物とを反応させてアンモニアを繰り返し生成し、かつ、該アンモニアを残りの前記排気ガスに含まれる第２の窒素酸化物と反応させて該窒素酸化物を浄化する構成とされていることを特徴としている。
【００１４】
請求項７記載の発明は、排気ガス浄化方法に係り、窒素酸化物を含む排気ガスを発生する装置に設けられて該窒素酸化物を還元作用によって浄化する排気ガス浄化装置に用いられ、水を分解して水素水を生成すると共に該水素水を霧化し、霧化された前記水素水と前記排気ガスに含まれる第１の窒素酸化物とを反応させて還元剤を生成し、かつ該還元剤を残りの前記排気ガスに含まれる第２の窒素酸化物と反応させることにより前記還元作用を繰り返し行うことを特徴としている。
【発明の効果】
【００１５】
この発明の構成によれば、水が分解されて水素水が生成されると共に同水素水が霧化され、霧化された同水素水と排気ガスに含まれる第１の窒素酸化物とが反応して還元剤が生成され、同還元剤が残りの排気ガスに含まれる第２の窒素酸化物と反応することにより、還元作用が繰り返し行われるので、還元剤の供給を外部から受けることなく、比較的簡単な構成で窒素酸化物を含む排気ガスが浄化され、環境が改善される。この場合、水を酸化触媒と反応させることにより水素水が生成され、同水素水が超音波発生手段による超音波振動が与えられることにより霧化される。そして、窒素酸化物浄化手段により、霧化された水素水と排気ガスに含まれる第１の窒素酸化物とが反応して還元剤が生成される。また、危険物であるアンモニアなどの還元剤の供給インフラの整備を不要にできる。また、収容器内の水に消臭剤などの添加用物質が添加されていれば、霧に消臭剤が含まれているので、排気ガスの臭いが低減され、環境が改善される。
【発明を実施するための最良の形態】
【００１６】
水を酸化触媒と反応させて水素水を生成すると共に同水素水を霧化し、霧化された水素水と排気ガスの第１の窒素酸化物とを反応させて還元剤（アンモニア）を生成し、かつ、残りの排気ガスに含まれる第２の窒素酸化物に対して同還元剤を用いて還元反応させることにより同窒素酸化物を浄化する排気ガス浄化装置を提供する。
【実施例１】
【００１７】
図１は、この発明の第１の実施例である排気ガス浄化装置の要部を示す構成図である。  この例の排気ガス浄化装置は、たとえばディーゼルエンジンなどのような窒素酸化物を含む排気ガスを発生する装置の排気部に設けられ、同図に示すように、タンク１０と、超音波振動子１１と、超音波発振装置１２と、電源１３と、酸化触媒材１４と、上限スイッチ１５と、下限スイッチ１６と、制御部１７と、水位制御用電磁弁１８と、霧圧送用電動ファン１９と、霧導入管２０と、窒素酸化物浄化部２１とから構成されている。タンク１０は、所定量の水を収容する。また、タンク１０は、外部から開閉可能な図示しない扉が設けられ、同タンク１０内の水に任意の添加用物質（たとえば、消臭剤や好みの香料）を付加可能な構成となっている。
【００１８】
酸化触媒材１４は、たとえばマグネシウム（Ｍｇ）合金などからなり、タンク１０内に収容されて同タンク１０内の水と反応して水素水を生成する。超音波振動子１１は、タンク１０の底部に設けられ、同タンク１０中の水素水に対して超音波振動を与えることにより霧ｆを発生させる。超音波発振装置１２は、超音波振動子１１を制御して超音波振動を発生させる。電源１３は、超音波発振装置１２に必要な所定の電力を供給する。上限スイッチ１５は、タンク１０内の水面と超音波振動子１１との距離が上限値に達したときにオン状態となる。下限スイッチ１６は、タンク１０内の水面と超音波振動子１１との距離が下限値に達したときにオン状態となる。制御部１７は、上限スイッチ１５及び下限スイッチ１６のオン状態／オフ状態に基づいて、タンク１０内の水面と超音波振動子１１との間を所定の距離に保つように、水位制御用電磁弁１８を制御して水位を制御する。この所定の距離は、超音波振動子１１により霧ｆを高効率で発生させるために適切な値に設定されている。
【００１９】
水位制御用電磁弁１８は、制御部１７により開状態とされたとき、補水経路からの補水ｗをタンク１０内へ供給する。霧圧送用電動ファン１９は、タンク１０内で発生した霧ｆを霧導入管２０を経て窒素酸化物浄化部２１へ圧送する。霧導入管２０は、タンク１０内で発生した霧ｆを窒素酸化物浄化部２１へ導入する。また、霧導入管２０には、霧ｆの逆流を防止するための逆流防止弁２０ａが設けられている。窒素酸化物浄化部２１は、霧化された水素水とエンジンの排気ガスｇａに含まれる窒素酸化物とを反応させて還元剤（たとえば、アンモニア）を繰り返し生成し、かつ、残りの排気ガスｇａに含まれる窒素酸化物に対して同還元剤を用いて反応させて同窒素酸化物を浄化して排気ガスｇｂを排出する。また、窒素酸化物浄化部２１は、触媒層２１ａを有している。触媒層２１ａは、酸化触媒（たとえば、ホウ素Ｂ）からなり、窒素酸化物浄化部２１で生成されたオゾン（Ｏ3）を燃焼させる。
【００２０】
この排気ガス浄化装置に用いられる排気ガス浄化方法では、水に対する酸化触媒反応により水素水が生成されると共に同水素水が霧化され、霧化された水素水と排気ガスｇａの窒素酸化物とが反応して還元剤（アンモニア）が生成され、かつ、残りの排気ガスｇａに含まれる窒素酸化物に対して同還元剤を用いて繰り返し還元反応させることにより同窒素酸化物が浄化される。
【００２１】
すなわち、タンク１０には所定量の水が収容され、必要に応じて、この水に消臭剤や香料が添加される。タンク１０内の水は、次式に示すように、酸化触媒材１４（Ｍｇ合金）による反応により水素が生成されて、水素水となる。
２Ｈ2Ｏ＋Ｍｇ→Ｍｇ（ＯＨ）2＋Ｈ2
そして、超音波発振装置１２の制御により超音波振動子１１から超音波振動が発生し、同超音波振動がタンク１０中の水素水に与えられて水面の表面張力が失われ、霧ｆが発生する。また、タンク１０内の水位は、上限スイッチ１５及び下限スイッチ１６により検出され、同下限スイッチ１６がオン状態になったとき、制御部１７により水位制御用電磁弁１８が開状態となって補水ｗがタンク１０内へ供給される。この後、上限スイッチ１５がオン状態になったとき、制御部１７により水位制御用電磁弁１８が閉状態となって補水ｗの供給が停止される。これにより、タンク１０内の水面と超音波振動子１１との間が、霧ｆの発生に適切な距離に保たれる。タンク１０内で発生した霧ｆは、霧圧送用電動ファン１９により、霧導入管２０を経て窒素酸化物浄化部２１へ圧送される。
【００２２】
窒素酸化物浄化部２１では、導入された霧ｆに含まれる水素（Ｈ2）と排気ガスｇａに含まれる窒素酸化物（ＮＯ2）とが瞬時に反応し、次式に示すように、還元剤（アンモニアＮＨ3）及び水（Ｈ2Ｏ）が生成され、水は蒸発する。
７Ｈ2＋２ＮＯ2→２ＮＨ3＋４Ｈ2Ｏ
そして、次式に示すように、残りの排気ガスｇａに含まれる窒素酸化物（Ｎ2Ｏ）が還元剤（アンモニア）により還元反応して浄化され、排気ガスｇｂが排出される。
２ＮＨ3＋３Ｎ2Ｏ→３Ｈ2Ｏ＋８Ｎ
【００２３】
同様に、次式に示すように、窒素酸化物浄化部２１に導入された霧ｆに含まれる水素と排気ガスｇａに含まれる窒素酸化物（ＮＯ）とが反応して還元剤（ＮＨ3）及び水（Ｈ2Ｏ）が生成され、水は蒸発する。
５Ｈ2＋２ＮＯ→２ＮＨ3＋２Ｈ2Ｏ
そして、次式に示すように、残りの排気ガスｇａに含まれる窒素酸化物（Ｎ2Ｏ3）が還元剤（アンモニア）により還元反応して浄化され、排気ガスｇｂが排出される。
２ＮＨ3＋Ｎ2Ｏ3→３Ｈ2Ｏ＋２Ｎ2
また、次式に示すように、窒素酸化物浄化部２１に導入された霧ｆに含まれる水素と残りの排気ガスｇａに含まれる窒素酸化物（Ｎ2Ｏ3）とが反応して還元剤（ＮＨ3）及びオゾン（Ｏ3）が生成され、同オゾンが触媒層２１ａの酸化触媒により燃焼し、２ＮＨ3が残る。
３Ｈ2＋Ｎ2Ｏ3→２ＮＨ3＋Ｏ3
そして、次式に示すように、残った還元剤（ＮＨ3）と残りの排気ガスに含まれる窒素酸化物（Ｎ2Ｏ4）とが反応して同窒素酸化物が還元され、水（Ｈ2Ｏ）及び無害の窒素ガス（Ｎ2）が排出される。
８ＮＨ3＋３Ｎ2Ｏ4→１２Ｈ2Ｏ＋７Ｎ2
【００２４】
以上のように、この第１の実施例では、タンク１０内の水に対して酸化触媒により反応させて水素水を生成し、同水素水に対して超音波振動子１１により超音波振動を与えることにより霧ｆを発生させ、窒素酸化物浄化部２１で霧ｆから水素を生成し、同水素と排気ガスｇａ中の窒素酸化物とを反応させて還元剤（アンモニア）を生成し、かつ、残りの排気ガスｇａに含まれる窒素酸化物に対して同還元剤を用いて繰り返し還元反応させることにより同窒素酸化物を浄化するので、還元剤の供給を外部から受けることなく、比較的簡単な構成で同窒素酸化物を含む排気ガスが浄化され、環境が改善される。また、タンク１０内の水に消臭剤が添加されていれば、霧ｆに消臭剤が含まれているので、排気ガスの臭いが低減され、環境が改善される。また、危険物である還元剤（アンモニア）の供給インフラの整備が不要となる。
【実施例２】
【００２５】
図２は、この発明の第２の実施例である排気ガス浄化装置の要部を示す構成図であり、第１の実施例を示す図１中の要素と共通の要素には共通の符号が付されている。
この例の排気ガス浄化装置では、同図２に示すように、図１中のタンク１０、電源１３及び制御部１７に代えて、異なる構成のタンク１０Ａ、電源１３Ａ及び制御部１７Ａが設けられ、超音波振動子１１、超音波発振装置１２及び霧圧送用電動ファン１９が削除されている。また、水ポンプ（Ｐ）２２、吸水部２２ａ、ノズル２３、及び流量調整弁２４が新たに設けられている。タンク１０Ａは、上部にエアー抜き１０ｂが設けられ、所定量の水を収容する。また、タンク１０Ａは、外部から開閉可能な図示しない扉が設けられ、同タンク１０Ａ内の水に任意の添加用物質（たとえば、消臭剤や好みの香料）を付加可能な構成となっている。
【００２６】
電源１３Ａは、制御部１７Ａに必要な所定の電力を供給する。制御部１７Ａは、上限スイッチ１５及び下限スイッチ１６のオン状態／オフ状態に基づいて、タンク１０Ａ内の水面を所定のレベルに保つように、水位制御用電磁弁１８を制御して水位を制御する他、水ポンプ２２の動作を制御する。水ポンプ２２は、吸水部２２ａを介してタンク１０Ａ内で生成された水素水を吸引し、ノズル２３へ送出する。ノズル２３は、水ポンプ２２から送出される水素水を霧化して霧ｆを発生させる。流量調整弁２４は、ノズル２３から発生した霧ｆを所定量に調整して霧導入管２０へ送出する。また、ノズル２３から発生した霧ｆのうちの所定量を超える分は、タンク１０Ａ内に還元されるようになっている。他は、図１と同様の構成である。
【００２７】
この排気ガス浄化装置に用いられる排気ガス浄化方法では、タンク１０Ａ内の水素水が水ポンプ２２により吸水部２２ａを経て吸引され、ノズル２３へ送出される。この水素水は、ノズル２３により霧化され、霧ｆが発生する。霧ｆは、流量調整弁２４により流量が調整され、霧導入管２０を経て窒素酸化物浄化部２１へ送出される。この後、窒素酸化物浄化部２１で第１の実施例と同様の反応処理が行われ、排気ガスｇａに含まれる窒素酸化物が浄化されて排気ガスｇｂが排出される。このため、第１の実施例と同様に、還元剤の供給を外部から受けることなく、比較的簡単な構成で窒素酸化物を含む排気ガスが浄化され、環境が改善される。
【００２８】
以上、この発明の実施例を図面により詳述してきたが、具体的な構成は同実施例に限られるものではなく、この発明の要旨を逸脱しない範囲の設計の変更などがあっても、この発明に含まれる。
たとえば、上記各実施例では、発生した霧ｆが窒素酸化物浄化部２１へ送出されるようになっているが、水素水を沸騰させて水素が豊富に含まれる水蒸気を発生させる機構を設け、同水蒸気を窒素酸化物浄化部２１へ導入する構成としても、上記実施例とほぼ同様の作用、効果が得られる。この場合、たとえば重油を燃料として水蒸気を発生するボイラなど、窒素酸化物の固定発生源に対して特に有効である。また、自動車など、窒素酸化物の移動発生源に対しても、水素が豊富に含まれる水蒸気を発生させる機構を設けることが可能であれば、同様に有効である。また、図１中の霧圧送用電動ファン１８に代えて、他の空気圧送機構を用いても良い。また、水を電気分解して水素を発生させ、この水素により水素水を生成しても良い。
【００２９】
また、霧化手段として、たとえばベルヌーイの法則に基づく噴霧装置を設けても良い。この噴霧装置では、図３に示すように、図示しない空気圧送機構から圧送される空気がベンチュリ管３０を経てタンク１０Ｂ内に流入すると、水素水が吸い上げ管１０Ｃにより吸い上げられ、同ベンチュリ管３０から噴出される空気の圧力により霧化される。発生した霧ｆは、霧導入管２０を経て窒素酸化物浄化部へ圧送される。
【産業上の利用可能性】
【００３０】
この発明は、自動車やボイラなどの他、たとえば火力発電所など、窒素酸化物を含む排気ガスを発生する装置全般に設けて有効である。
【図面の簡単な説明】
【００３１】
【図１】この発明の第１の実施例である排気ガス浄化装置の要部を示す構成図である。
【図２】この発明の第２の実施例である排気ガス浄化装置の要部を示す構成図である。
【図３】ベルヌーイの法則に基づく噴霧装置の要部を示す構成図である。
【図４】従来の排気ガス浄化装置の原理を示す図である。
【符号の説明】
【００３２】
１０，１０Ａ，１０Ｂ      タンク（還元手段の一部）
１０Ｃ      吸い上げ管（霧化手段の一部）
１１      超音波振動子（霧化手段の一部）
１２      超音波発振装置（霧化手段の一部）
１３，１３Ａ      電源（霧化手段の一部）
１４      酸化触媒材（触媒装置）
１５      上限スイッチ（水位制御手段の一部）
１６      下限スイッチ（水位制御手段の一部）
１７，１７Ａ      制御部（水位制御手段の一部）
１８      水位制御用電磁弁（水位制御手段の一部）
１９      霧圧送用電動ファン（排気ガス浄化装置の一部、還元手段の一部）
２０      霧導入管（排気ガス浄化装置の一部、還元手段の一部）
２０ａ      逆流防止弁（排気ガス浄化装置の一部、還元手段の一部）
２１      窒素酸化物浄化部（窒素酸化物浄化手段の一部）
２１ａ      触媒層（窒素酸化物浄化手段の一部）
２２      水ポンプ（Ｐ）（霧化手段の一部）
２２ａ      吸水部（霧化手段の一部）
２３      ノズル（霧化手段の一部）
２４      流量調整弁（霧化手段の一部）
３０      ベンチュリ管（霧化手段の一部）
ｇａ      排気ガス
ｇｂ      浄化された排気ガス
【図１】
2007075800.tif 000003
【図２】
2007075800.tif 000004
【図３】
2007075800.tif 000005
【図４】
2007075800.tif 000006